(57)【要約】【課題】蓋部材の回動支点部の強度を大きくすることが可能になると共に、蓋部材の回動支点部の破壊を回避することが可能となる印刷装置を提供する。【解決手段】ケースカバー４は、樹脂製表面部材５５の内側面に固着された金属製補強板５６の後端側両角部に設けられた各係止軸６２が、本体ケース２の後端両角部に配置された各リンクユニット９、１０の各リンク部材２５の上端部に切り欠かれた軸挿入部３８を介して該各リンク部材２５の各貫通孔３７に着脱可能に装着される。【選択図】図１３
2008110481.tif 000002
【特許請求の範囲】
【請求項１】
本体ケースの一面側に開口して被記録媒体を積層状態で収納する収納部と、前記本体ケースに開閉可能に設けられて前記収納部を覆う蓋部材と、を備えた印刷装置において、
前記本体ケースは、
該本体ケースの後端両角部に配置されて下端側が被記録媒体搬送方向に回動可能に    軸支されると共に、上端側に回動方向に対して直角方向に貫通孔が穿設されて前記貫    通孔の上端部が該貫通孔の軸方向に沿って切り欠かれて軸挿入部が形成された一対の    リンク部材と、
前記各リンク部材に隣接して配置されて前記蓋部材を外側方向に回動させるように    付勢する一対の付勢手段と、
前記各付勢手段に隣接して配置されると共に、前記各リンク部材の回動中心よりも    被記録媒体搬送方向下流側に位置するように設けられる一対の係合部と、
を有し、
前記蓋部材は、
内側面の後端側両角部の前記各リンク部材に対向する位置に被記録媒体搬送方向に    対して直角方向に沿って配置される一対の係止軸と、
内側面の後端縁部から前記各係合部に対向するように下側方向に所定長さ垂設され    て、更に下端部から被記録媒体搬送方向下流側へ直角に延出されて側面視Ｌ字形に形    成される一対の第１係止片と、
を有し、
該蓋部材は、前記各係止軸が前記各リンク部材の軸挿入部を介して該リンク部材の前記貫通孔に着脱可能に装着されると共に、前記付勢手段によって外側方向に回動され、
この係止軸を中心に前記付勢手段による抗力に抗して前記本体ケース側に回動して該本体ケースに当接後、被記録媒体搬送方向下流側へスライドさせることによって、前記各第１係止片の下端部が前記各係合部に係合されて蓋部材が固定状態にされ、
該蓋部材を被記録媒体搬送方向上流側へスライドさせることによって開放可能状態になり、被記録媒体を装着可能になることを特徴とする印刷装置。
【請求項２】
前記本体ケースは、前記各リンク部材の被記録媒体搬送方向下流側の両内側側壁部から内側方向に突設される一対の係合凸部を有し、
前記蓋部材は、内側面から前記各係合凸部に対向するように下側方向に所定長さ垂設されて、更に下端部から被記録媒体搬送方向下流側へ直角に延出されて側面視Ｌ字形に形成される一対の第２係止片を有し、
前記各第２係止片は、該蓋部材を前記係止軸を中心に前記付勢手段による抗力に抗して前記本体ケース側に回動して該本体ケースに当接後、被記録媒体搬送方向下流側へスライドさせることによって、該各第２係止片の下端部が前記各係合凸部に係合され、
該蓋部材を被記録媒体搬送方向上流側へスライドさせることによって開放可能状態になり、被記録媒体を装着可能になることを特徴とする請求項１に記載の印刷装置。
【請求項３】
前記本体ケースは、前記各付勢手段が取り付けられる金属製ベース部材を有し、
前記蓋部材は、樹脂製表面部材と、
前記樹脂製表面部材の内側面に固着される金属製補強板と、を有し、
前記各係合部は、前記金属製ベース部材に形成され、
前記各第１係止片は、前記金属製補強板に形成されることを特徴とする請求項１又は請求項２に記載の印刷装置。
【請求項４】
前記各第２係止片は、前記金属製補強板に形成されていることを特徴とする請求項３に記載の印刷装置。
【請求項５】
前記各付勢手段はねじりコイルバネで形成され、
前記各ねじりコイルバネは、前記金属製ベース部材の該ねじりコイルバネの開き角度を規制する回転止め部に当接した状態で取り付けられ、
前記蓋部材が開放された場合には、該蓋部材の後側下端縁部が前記本体ケースの後面部に当接すると共に、該各ねじりコイルバネは、前記回転止め部に当接した状態よりも小さい開き角度で該蓋部材の内側面に当接することを特徴とする請求項３又は請求項４に記載の印刷装置。
【請求項６】
前記各付勢手段はねじりコイルバネで形成され、
前記蓋部材を前記本体ケースに当接後、被記録媒体搬送方向下流側へスライドさせた場合には、前記各リンク部材は被記録媒体搬送方向下流側へ回動されて、前記各係止軸は前記ねじりコイルバネのコイル中心軸よりも被記録媒体搬送方向下流側に位置し、
該蓋部材を固定状態から被記録媒体搬送方向上流側へスライドさせた場合には、前記各リンク部材は被記録媒体搬送方向上流側へ回動されて、前記各係止軸は前記ねじりコイルバネのコイル中心軸よりも被記録媒体搬送方向上流側に位置することを特徴とする請求項１乃至請求項４のいずれかに記載の印刷装置。
【発明の詳細な説明】
【技術分野】
【０００１】
本発明は、印刷装置に関し、特に、小型化された本体ケース内に被記録媒体を積層状態で収納する印刷装置に関するものである。
【背景技術】
【０００２】
従来より、小型化された本体ケース内に被記録媒体を積層状態で収納する印刷装置が種々提案されている。
例えば、本体ケース内に積層状態で収納された用紙を印字ヘッドで印刷するとともに、この本体ケースの両側に設けられた一対の回動穴に対して、蓋体の両側に設けられた一対の回動支持部材の突起部をそれぞれ係入させることにより、本体ケースに対して蓋体が回動自在となる印刷装置であって、蓋体は、回動支持部材を設けた樹脂製裏面部材と、回動支持部材を突出させた状態で樹脂製裏面部材を覆う金属製表面部材と、から構成された印刷装置がある（例えば、特許文献１参照。）。
【特許文献１】特開２００３−３２０７３０号公報（段落（００２５）〜（００７７）、図１〜図２３）
【発明の開示】
【発明が解決しようとする課題】
【０００３】
しかしながら、上述した特許文献１に記載される構成では、印刷装置の厚さ寸法をそのまま維持して、用紙のサイズを大きくした場合には、蓋体が大きくなるため、樹脂製裏面部材に突設されて、本体ケースの両側に設けられた回動孔に係入される一対の回動支持部材の機械的強度が不足し、蓋体を開ける際に大きな力を加えると回動支持部材が容易に破断するという問題がある。また、一対の回動支持部材は、外観面に露出した状態であるため、デザイン的自由度が制限され、見栄えが悪くなるという問題がある。
【０００４】
そこで、本発明は、上述した問題点を解決するためになされたものであり、印刷装置の厚さ寸法をそのまま維持して、被記録媒体のサイズを大きくして蓋部材を大きくした場合に、当該蓋部材の回動支点部の強度を大きくすることが可能になると共に、蓋部材の回動支点部の破壊を回避することが可能となる印刷装置を提供することを目的とする。また、蓋部材の回動支点部が印刷装置の外観面に露出せず、デザイン的自由度を確保することが可能となる印刷装置を提供することを目的とする。
【課題を解決するための手段】
【０００５】
前記目的を達成するため請求項１に係る印刷装置は、本体ケースの一面側に開口して被記録媒体を積層状態で収納する収納部と、前記本体ケースに開閉可能に設けられて前記収納部を覆う蓋部材と、を備えた印刷装置において、前記本体ケースは、該本体ケースの後端両角部に配置されて下端側が被記録媒体搬送方向に回動可能に軸支されると共に、上端側に回動方向に対して直角方向に貫通孔が穿設されて前記貫通孔の上端部が該貫通孔の軸方向に沿って切り欠かれて軸挿入部が形成された一対のリンク部材と、前記各リンク部材に隣接して配置されて前記蓋部材を外側方向に回動させるように付勢する一対の付勢手段と、前記各付勢手段に隣接して配置されると共に、前記各リンク部材の回動中心よりも被記録媒体搬送方向下流側に位置するように設けられる一対の係合部と、を有し、前記蓋部材は、内側面の後端側両角部の前記各リンク部材に対向する位置に被記録媒体搬送方向に対して直角方向に沿って配置される一対の係止軸と、内側面の後端縁部から前記各係合部に対向するように下側方向に所定長さ垂設されて、更に下端部から被記録媒体搬送方向下流側へ直角に延出されて側面視Ｌ字形に形成される一対の第１係止片と、を有し、該蓋部材は、前記各係止軸が前記各リンク部材の軸挿入部を介して該リンク部材の前記貫通孔に着脱可能に装着されると共に、前記付勢手段によって外側方向に回動され、この係止軸を中心に前記付勢手段による抗力に抗して前記本体ケース側に回動して該本体ケースに当接後、被記録媒体搬送方向下流側へスライドさせることによって、前記各第１係止片の下端部が前記各係合部に係合されて蓋部材が固定状態にされ、該蓋部材を被記録媒体搬送方向上流側へスライドさせることによって開放可能状態になり、被記録媒体を装着可能になることを特徴とする。
【０００６】
また、請求項２に係る印刷装置は、請求項１に記載の印刷装置において、前記本体ケースは、前記各リンク部材の被記録媒体搬送方向下流側の両内側側壁部から内側方向に突設される一対の係合凸部を有し、前記蓋部材は、内側面から前記各係合凸部に対向するように下側方向に所定長さ垂設されて、更に下端部から被記録媒体搬送方向下流側へ直角に延出されて側面視Ｌ字形に形成される一対の第２係止片を有し、前記各第２係止片は、該蓋部材を前記係止軸を中心に前記付勢手段による抗力に抗して前記本体ケース側に回動して該本体ケースに当接後、被記録媒体搬送方向下流側へスライドさせることによって、該各第２係止片の下端部が前記各係合凸部に係合され、該蓋部材を被記録媒体搬送方向上流側へスライドさせることによって開放可能状態になり、被記録媒体を装着可能になることを特徴とする。
【０００７】
また、請求項３に係る印刷装置は、請求項１又は請求項２に記載の印刷装置において、前記本体ケースは、前記各付勢手段が取り付けられる金属製ベース部材を有し、前記蓋部材は、樹脂製表面部材と、前記樹脂製表面部材の内側面に固着される金属製補強板と、を有し、前記各係合部は、前記金属製ベース部材に形成され、前記各第１係止片は、前記金属製補強板に形成されることを特徴とする。
【０００８】
また、請求項４に係る印刷装置は、請求項３に記載の印刷装置において、前記各第２係止片は、前記金属製補強板に形成されていることを特徴とする。
【０００９】
また、請求項５に係る印刷装置は、請求項３又は請求項４に記載の印刷装置において、前記各付勢手段はねじりコイルバネで形成され、前記各ねじりコイルバネは、前記金属製ベース部材の該ねじりコイルバネの開き角度を規制する回転止め部に当接した状態で取り付けられ、前記蓋部材が開放された場合には、該蓋部材の後側下端縁部が前記本体ケースの後面部に当接すると共に、該各ねじりコイルバネは、前記回転止め部に当接した状態よりも小さい開き角度で該蓋部材の内側面に当接することを特徴とする。
【００１０】
更に、請求項６に係る印刷装置は、請求項１乃至請求項４のいずれかに記載の印刷装置において、前記各付勢手段はねじりコイルバネで形成され、前記蓋部材を前記本体ケースに当接後、被記録媒体搬送方向下流側へスライドさせた場合には、前記各リンク部材は被記録媒体搬送方向下流側へ回動されて、前記各係止軸は前記ねじりコイルバネのコイル中心軸よりも被記録媒体搬送方向下流側に位置し、該蓋部材を固定状態から被記録媒体搬送方向上流側へスライドさせた場合には、前記各リンク部材は被記録媒体搬送方向上流側へ回動されて、前記各係止軸は前記ねじりコイルバネのコイル中心軸よりも被記録媒体搬送方向上流側に位置することを特徴とする。
【発明の効果】
【００１１】
請求項１に係る印刷装置では、蓋部材は、内側面の後端側両角部に設けられた各係止軸が、本体ケースの後端両角部に配置された各リンク部材の上端部に切り欠かれた軸挿入部を介して該リンク部材の貫通孔に着脱可能に装着されるため、印刷装置の厚さ寸法をそのまま維持して、被記録媒体のサイズを大きくして蓋部材を大きくしても、各係止軸と各リンク部材との係合によって回動支点部が形成されるため、十分な強度をもたせることが可能となる。また、蓋部材の各係止軸は、本体ケースの各リンク部材の貫通孔に軸挿入部を介して着脱可能に取り付けられるため、開放された蓋部材に大きな回動力が働いた場合には、各リンク部材の貫通孔から各係止軸が外れて、蓋部材の回動支点部の破壊を回避することが可能となる。
【００１２】
また、各リンク部材に隣接して配置される付勢手段によって外側方向に回動された蓋部材を、各係止軸を中心に付勢手段による抗力に抗して本体ケース側に回動して該本体ケースに当接後、被記録媒体搬送方向下流側へスライドさせることによって、蓋部部材の内側面の後端縁部に設けられた各第１係止片の下端部が、各付勢手段に隣接して配置されると共に、各リンク部材の回動中心よりも被記録媒体搬送方向下流側に位置するように設けられた各係合部に係合されて蓋部材が固定状態にされる。これにより、蓋部材を閉じた場合には、各リンク部材、各係止軸、各付勢手段、各係合部及び各第１係止片は、外観面に露出せず、デザイン的自由度を確保することが可能となる。
また、蓋部材を被記録媒体搬送方向上流側へスライドさせることによって開放可能状態になり、被記録媒体を装着可能になるため、被記録媒体のサイズを大きくして蓋部材を大きくしても、印刷装置の厚さ寸法の薄型化を図ることが可能となる。
【００１３】
また、請求項２に係る印刷装置では、付勢手段によって外側方向に回動された蓋部材を、各係止軸を中心に付勢手段による抗力に抗して本体ケース側に回動して該本体ケースに当接後、被記録媒体搬送方向下流側へスライドさせることによって、蓋部部材の内側面に設けられた各第２係止片が、各リンク部材の被記録媒体搬送方向下流側の両内側側壁部から内側方向に突設される一対の係合凸部に係合されて、蓋部材が固定状態にされる。これにより、蓋部材を閉じた場合には、各第２係止片が各係合凸部に係合されるため、蓋部材の両側面部の浮き上がりを確実に防止することができる。
また、蓋部材を被記録媒体搬送方向上流側へスライドさせることによって開放可能状態になり、被記録媒体を装着可能になるため、各第２係止片を蓋部材に設けても、印刷装置の厚さ寸法の薄型化を図ることが可能となる。
【００１４】
また、請求項３に係る印刷装置では、本体ケースは、各付勢手段が取り付けられる金属製ベース部材に各係合部が形成されている。また、蓋部材は、樹脂製表面部材の内側面に固着される金属製補強板に各第１係止片が形成されている。このため、蓋部材を、各係止軸を中心に付勢手段による抗力に抗して本体ケース側に回動して該本体ケースに当接後、被記録媒体搬送方向下流側へスライドさせることによって、金属製補強板に形成された各第１係止片は、金属製ベース部材に形成された各係合部に係合される。
これにより、蓋部材の大型化に伴って重量が増加して、各付勢手段の抗力が大きくなっても、各第１係止片及び各係合部は、金属製であるため、本体ケース及び蓋部材の変形を確実に防止することが可能となる。
【００１５】
また、請求項４に係る印刷装置では、各第２係止片は、蓋部材の樹脂製表面部材の内側面に固着される金属製補強板に形成されているため、各第１係止片と同時にプレス成形することが可能となり、部品点数の削減化を図ることが可能となる。
【００１６】
また、請求項５に係る印刷装置では、各付勢手段はねじりコイルバネで形成され、本体ケースに設けられた金属製ベース部材の該ねじりコイルバネの開き角度を規制する回転止め部に当接した状態で取り付けられているため、各ねじりコイルバネの反力による本体ケース及び蓋部材の変形を確実に防止することが可能となる。また、各ねじりコイルバネは、開き角度を規制された金属製ベース部材に取り付けられているため、蓋部材の各係止軸を各リンク部材の貫通孔に装着する際に、各ねじりコイルバネの待機位置を規制することができ、該蓋部材の取り付け及び脱着作業をスムーズに行うことが可能となる。
また、蓋部材が開放された場合には、該蓋部材の後側下端縁部が、本体ケースの後面部に当接すると共に、該各ねじりコイルバネは、回転止め部に当接した状態よりも小さい開き角度で該蓋部材の内側面に当接する。これにより、蓋部材を開放した場合に、該蓋部材の後側下端縁部を本体ケースの後面部に当接させた最大開放状態を確実に維持することができ、被記録媒体を容易に装着することができる。
【００１７】
更に、請求項６に係る印刷装置では、各付勢手段はねじりコイルバネで形成されている。そして、蓋部材を本体ケースに当接後、被記録媒体搬送方向下流側へスライドさせた場合には、各リンク部材は被記録媒体搬送方向下流側へ回動されて、各係止軸は各ねじりコイルバネのコイル中心軸よりも被記録媒体搬送方向下流側に位置する。また、この蓋部材を固定状態から被記録媒体搬送方向上流側へスライドさせた場合には、各リンク部材は被記録媒体搬送方向上流側へ回動されて、各係止軸は各ねじりコイルバネのコイル中心軸よりも被記録媒体搬送方向上流側に位置する。
【００１８】
これにより、蓋部材を閉じて固定状態にした場合には、各係止軸は各ねじりコイルバネのコイル中心軸よりも被記録媒体搬送方向下流側に位置するため、各係止軸が該各ねじりコイルバネの作用点に近づき、蓋部材の各係止軸を中心に働く回転モーメントが小さくなり、蓋部材の浮き上がりを防止することが可能となる。また、蓋部材を固定状態から被記録媒体搬送方向上流側へスライドさせた場合には、各係止軸は各ねじりコイルバネのコイル中心軸よりも被記録媒体搬送方向上流側に位置するため、各係止軸が該各ねじりコイルバネの作用点から離れて、蓋部材の各係止軸を中心に働く回転モーメントが大きくなり、蓋部材の開放力を大きくすることが可能となる。
【発明を実施するための最良の形態】
【００１９】
以下、本発明に係る印刷装置について、本発明を具体化した一実施例に基づき図面を参照しつつ詳細に説明する。
【実施例】
【００２０】
先ず、本実施例に係る印刷装置の概略構成について図１乃至図３に基づき説明する。
図１乃至図３に示すように、印刷装置１は、平面視、略矩形の形状を有し、平面視略Ａ５サイズ程度の大きさで、厚みが約２ｃｍの、上面が開放された箱形の本体ケース２を有している。この本体ケース２の上面には、本体ケース２の長手方向の一端寄りに本体上面を覆う略矩形の固定カバー部３を有する。この固定カバー部３の箇所を除く本体ケース２内には、感熱紙からなるＡ６サイズのカットシート状の被記録媒体としての用紙７を複数枚収納した用紙パッケージ８が収容できる収容部５が形成されている。また、固定カバー部３に覆われた本体ケース２の内部には、不図示の印刷機構部が設けられている。
【００２１】
また、収納部５を覆うようにケースカバー４が設けられている。このケースカバー４は、本体ケース２の後端右側角部に設けられた右側リンクユニット９と、本体ケース２の後端左側角部に設けられた左側リンクユニット１０とによって、後述のように本体ケース２に対して着脱可能に取り付けられている（図１４参照）。
また、ケースカバー４の自由端側には、このケースカバー４を閉じた際に、各コイルバネ１９、１９によって、積層された用紙７の上端部を押さえて不図示のピックアップローラに押圧する押さえ板２０が設けられている。
【００２２】
そして、このケースカバー４を開く場合には、図２（Ａ）→（Ｂ）→（Ｃ）に示すように、ケースカバー４を固定カバー部３と離間する方向へスライドさせることによって、ケースカバー４の各係止片１２〜１５の係合が解除されて、右側リンクユニット９の右側ねじりコイルバネ１６Ａと左側リンクユニット１０の左側ねじりコイルバネ１６Ｂによって外側方向に回動されて開くようになっている。
また、ケースカバー４を閉じる場合には、図２（Ｃ）→（Ｂ）→（Ａ）に示すように、ケースカバー４を各ねじりコイルバネ１６Ａ、１６Ｂの付勢力に抗して本体ケース２に当接させて、固定カバー部３の方向へスライドさせることによって、各係止片１２〜１５が係合して閉じるようになっている。また、ケースカバー４と固定カバー部３との間には、所定隙間が形成され、印刷された用紙７が排出される排出口１８が設けられている。
【００２３】
次に、右側リンクユニット９と左側リンクユニット１０の概略構成について図４及び図５に基づいて説明する。
先ず、右側リンクユニット９の概略構成について図４に基づいて説明する。
図４に示すように、右側リンクユニット９は、鋼板製右側ベース部材２４（本実施例では、厚さ約１ｍｍのＳＰＣＣ等の鋼板製である。）と、ポリアセタール等の樹脂製で横断面コの字形のリンク部材２５と、右側ねじりコイルバネ１６Ａとから構成されている。
【００２４】
この右側ベース部材２４は、リンク部材２５の幅とほぼ同じ幅で細長い平板部２６と、この平板部２６の後端両側から直角上方向に延出され、更に後方に延出されて各貫通孔２７が穿設される各リンク部材取付部２８が折り曲げ形成されている。また、右側ベース部材２４は、内側のリンク部材取付部２８の上端縁部から直角外側方向（図４中、右側方向である。）に右側ねじりコイルバネ１６Ａの長さにほぼ等しい長さ延出されるバネ受部２９と、このバネ受部２９の基端部から直角上側方向に延出され、更に、上端部から所定長さ直角外側方向（図４中、右側方向である。）に延出される開き角規制部３０と、この開き角規制部３０の高さ方向略中央部から所定長さ直角外側方向（図４中、右側方向である。）に延出されて右側ねじりコイルバネ１６Ａが挿通されるコイル取付部３１が形成されている。また、右側ベース部材２４は、バネ受部２９の長手方向端縁部から直角上側方向に延出され、更に、上端部から所定長さ直角外側方向（図４中、右側方向である。）に延出される係合部３２が折り曲げ形成されている。また、右側ベース部材２４の平板部２６には、各ビス２３が挿通される各貫通孔２６Ａ、２６Ｂが穿設されている。尚、貫通孔２６Ｂは、平板部２６の長手方向に長い横長孔に形成されている。
【００２５】
また、リンク部材２５は、下端部の各側面部に対向するように各貫通孔３５が穿設され、右側ベース部材２４の各貫通孔２７に挿通される軸３６を介して、該右側ベース部材２４に前後方向へ回動可能に取り付けられる。また、リンク部材２５は、上端部の各側面部に対向するように各貫通孔３７が穿設されると共に、この各通孔３７の上端部が軸方向に沿って切り欠かれて各軸挿入部３８が形成されている。また、各軸挿入部３８の外側端縁部から斜め外側方向に傾斜するように延出される各案内部３９が形成されている。尚、各貫通孔３７は、ケースカバー４の後端両角部に設けられる各係止軸６２（図１２参照）の直径とほぼ同じ直径に形成されている。
また、右側ねじりコイルバネ１６Ａは、右側ベース部材２４のコイル取付部３１に挿通されて、一方の端縁部がバネ受部２９に当接されると共に、他方の端縁部が開き角規制部３０に内側から当接され、最大開き角度よりも小さい開き角度で該右側ベース部材２４に取り付けられる。また、右側ねじりコイルバネ１６Ａの開き角規制部３０に当接される他方の端縁部は、ケースカバー４の内側面に当接するため、円弧状に内側方向へ曲げられている。
【００２６】
続いて、左側リンクユニット１０の概略構成について図５に基づいて説明する。
図５に示すように、左側リンクユニット１０は、鋼板製左側ベース部材４１（本実施例では、厚さ約１ｍｍ〜２ｍｍのＳＰＣＣ等の鋼板製である。）と、ポリアセタール等の樹脂製で横断面コの字形のリンク部材２５と、左側ねじりコイルバネ１６Ｂとから構成されている。
【００２７】
この左側ベース部材４１は、リンク部材２５の幅とほぼ同じ幅で細長い平板部４２と、この平板部４２の後端両側から直角上方向に延出され、更に後方に延出されて各貫通孔４３が穿設される各リンク部材取付部４４が折り曲げ形成されている。また、左側ベース部材４１は、内側のリンク部材取付部４４の上端縁部から直角外側方向（図５中、左側方向である。）に左側ねじりコイルバネ１６Ｂの長さにほぼ等しい長さ延出されるバネ受部４５と、このバネ受部４５の基端部から直角上側方向に延出され、更に、上端部から所定長さ直角外側方向（図５中、左側方向である。）に延出される開き角規制部４６と、この開き角規制部４６の高さ方向略中央部から所定長さ直角外側方向（図５中、左側方向である。）に延出されて左側ねじりコイルバネ１６Ｂが挿通されるコイル取付部４７が形成されている。また、左側ベース部材４１は、バネ受部４５の長手方向端縁部から直角上側方向に延出され、更に、上端部から所定長さ直角外側方向（図５中、左側方向である。）に延出される係合部４８が折り曲げ形成されている。また、左側ベース部材４１の平板部４２には、各ビス２３が挿通される各貫通孔４２Ａ、４２Ｂが穿設されている。尚、貫通孔４２Ｂは、平板部４２の長手方向に長い横長孔に形成されている。
【００２８】
また、リンク部材２５は、左側ベース部材４１の各貫通孔４３に挿通される軸３６が、各貫通孔３５に挿通されて、該左側ベース部材４１に前後方向へ回動可能に取り付けられる。
また、左側ねじりコイルバネ１６Ｂは、左側ベース部材４１のコイル取付部４７に挿通されて、一方の端縁部がバネ受部４５に当接されると共に、他方の端縁部が開き角規制部４６に内側から当接され、最大開き角度よりも小さい開き角度で該左側ベース部材４１に取り付けられる。また、左側ねじりコイルバネ１６Ｂの開き角規制部４６に当接される他方の端縁部は、ケースカバー４の内側面に当接するため、円弧状に内側方向へ曲げられている。
【００２９】
次に、右側リンクユニット９と左側リンクユニット１０との本体ケース２への取り付けは、ほぼ同じ構成であるため、右側リンクユニット９の本体ケース２への取り付けについて図６乃至図１０に基づいて説明する。
図６乃至図１０に示すように、収納部５の後端右側角部の外側には、平面視Ｌ字形の凹部２２が形成されている。この凹部２２の底面部は、収納部５の後側側壁部５Ａに対向する部分が、この凹部２２の角部の底面部よりも所定高さ（本実施例では、約３ｍｍ〜５ｍｍの高さである。）高くなるように形成され、右側リンクユニット９を構成する右側ベース部材２４のバネ受部２９が載置されるように構成されている。
また、右側ベース部材２４の係合部３２は、収納部５の後側側壁部５Ａの近傍に位置している。
【００３０】
また、本体ケース２は、樹脂製のフレームカバー２Ａと、ステンレス等の金属製の底面カバー２Ｂとから構成されている。そして、凹部２２の右側角部には、フレームカバー２Ａを貫通する貫通孔５１が穿設され、右側リンクユニット９を構成する右側ベース部材２４の平板部２６は、リンク部材２５が取り付けられる一端側が、凹部２２の底面部に載置され、他端側が該貫通孔５１に挿通されている。そして、この平板部２６の他端側は、下側から各ビス２３、２３によってフレームカバー２Ａの底面部にビス止めされている。
また、図９及び図１０に示すように、リンク部材２５の回動中心と右側ねじりコイルバネ１６Ａのコイル中心軸とは、同一鉛直平面上に位置している。
【００３１】
ここで、図３及び図９に示すように、収納部５の後側側壁部５Ａの各ねじりコイルバネ１６Ａ、１６Ｂの外側端縁部に対向する部分には、該収納部５の底面部５Ｃ近傍まで切り欠かれた各切欠溝５Ｂが形成されている。これにより、後述のように、各ねじりコイルバネ１６Ａ、１６Ｂがケースカバー４によって押し曲げられた場合に、この各ねじりコイルバネ１６Ａ、１６Ｂと後側側壁部５Ａとの干渉を避けることができる。
また、図３、図６及び図１０に示すように、収納部５の左側側壁部５Ｄの後端部近くには、後述のようにケースカバー４の係止片１５が係合される係止凸部５Ｅが形成されている。また、収納部５の右側側壁部５Ｆの後端部近くには、後述のようにケースカバー４の係止片１２が係合される係止凸部５Ｇが形成されている。
【００３２】
次に、ケースカバー４の概略構成について図１１及び図１２に基づいて説明する。
図１１及び図１２に示すように、ケースカバー４は、所定厚さ（本実施例では、約１ｍｍの厚さである。）の樹脂製表面部材５５と、この樹脂製表面部材５５の内側面をほぼ覆うように溶着や接着等により固着される所定厚さ（本実施例では、約１ｍｍの厚さである。）のステンレス等によって形成される金属製補強板５６とから構成されている。
また、樹脂製表面部材５５の後端中央部は、内側方向に長方形に切りかかれて、透明な樹脂で作成された窓部材５７が接着や両面粘着テープ等によって固着されている。また、樹脂製表面部材５５の表面部の前側両角部には、一群の横細長の各突起群５８、５８が形成され、ケースカバー４を本体ケース２に対してスライド移動させる際に、容易に移動力を与えることができるように構成されている。
【００３３】
また、金属製補強板５６は、三角形状の多数の孔が穿設されて軽量化が図られている。また、この金属製補強板５６の窓部材５７に対向する部分は、内側方向に長方形に切りかかれて、樹脂製表面部材５５の内側面に金属製補強板５６を固着後、窓部材５７を固着可能に構成されている。
【００３４】
また、この補強板５６は、押さえ板２０の後端縁部の両端に形成される各爪部２０Ａに対向する位置に、各突出部５９が形成されている。そして、この各突出部５９と樹脂製表面部材５５の内側面とによって形成される係止孔に押さえ板２０の各爪部２０Ａが挿入されている。また、金属製補強板５６の前端部両側には、直角下側方向に延出され、更に直角外側方向に延出される各延出部６０が形成されている。そして、この延出部６０の側面部には、上下方向に各長孔６０Ａが穿設されている。そして、押さえ板２０の左右端縁部から外側方向に延出される各突出片２０Ｂが各長孔６０Ａに挿入され、上下方向に移動可能になっている。これにより、押さえ板２０は、各コイルバネ１９によって下側方向に付勢された状態で、各爪部２０Ａを中心に各長孔６０Ａに沿って上下方向に揺動可能に取り付けられている。
【００３５】
また、金属製補強板５６の後端縁部両側には、下側方向に所定長さ垂設されて、更に下端部から用紙搬送方向下流側へ直角に延出されて側面視Ｌ字形に形成される各係止片１２、１５が設けられている。また、金属製補強板５６の後端角部には、各係止片１２、１５に対向するように各延出部６１が下側方向に所定長さ垂設されている。そして、一対の各係止軸６２の両端部が、各係止片１２、１５と各延出部６１との各下端部に取り付けられて、用紙搬送方向に対して直角方向に沿うように配置されている。また、各係止軸６２は、各リンクユニット９、１０の各リンク部材２５に対向する位置に、それぞれ設けられている。
また、金属製補強板５６の後端縁部の各リンクユニット９、１０の各係合部３２、４８に対向する位置には、下側方向に所定長さ垂設されて、更に下端部から用紙搬送方向下流側へ直角に延出されて側面視Ｌ字形に形成される各係止片１３、１４が設けられている。
【００３６】
次に、ケースカバー４の本体ケース２への取り付けについて図１３乃至図１７に基づいて説明する。
図１３及び図１４に示すように、先ず、本体ケース２の後端両角部に配置される各リンクユニット９、１０の各リンク部材２５に、ケースカバー４の後端両角部に設けられた各係止軸６２を上方から対向させる。そして、各係止軸６２を各リンク部材２５の案内部３９に当接させつつ、各軸挿入部３８に押し込む。これにより、リンク部材２５は、ポリアセタール等の樹脂成型品であるため、各案内部３９は係止軸６２によって外側方向に押し広げられ、係止軸６２が各軸挿入部３８を通過して各貫通孔３７に嵌め込まれる。そして、各貫通孔３７の直径は、各係止軸６２の直径とほぼ同じ直径であるため、ケースカバー４が各係止軸６２を中心に上下方向に回動可能となる。
【００３７】
また、図１４（Ｂ）及び図１５に示すように、各係止軸６２を各貫通孔３７に嵌め込むことによって、各リンクユニット９、１０の各ベース部材２４、４１の各開き角規制部３０、４６に当接している各ねじりコイルバネ１６Ａ、１６Ｂの他方の端縁部が、ケースカバー４の補強板５６に当接すると共に、ケースカバー４は、各係止軸６２を中心に各ねじりコイルバネ１６Ａ、１６Ｂによって上方向に回動され、該ケースカバー４の後側下端縁部が本体ケース２のフレームカバー２Ａの後端部に押し当てられた最大開放状態となる。
一方、図１４（Ｂ）→（Ａ）に示すように、ケースカバー４は、後側下端縁部を本体ケース２の後面部に当接させた最大開放状態で、本体ケース２を固定して該ケースカバー４を上方に引っ張ることによって、各係止軸６２を各貫通孔３７から外して、ケースカバー４を本体ケース２から取り外すことができる。
【００３８】
ここで、各ねじりコイルバネ１６Ａ、１６Ｂの開き角度を図１６に基づいて説明する。
尚、各ベース部材２４、４１に取り付けられた各ねじりコイルバネ１６Ａ、１６Ｂの開き角度は、ほぼ同じであるため、右側ベース部材２４に取り付けられる右側ねじりコイルバネ１６Ａについて説明する。
図１６（Ａ）に示すように、右側ねじりコイルバネ１６Ａは、単体時には最大開き角度θ１（本実施例では、θ１は約１２０度である。）である。そして、図１６（Ｂ）に示すように、右側ねじりコイルバネ１６Ａは、右側ベース部材２４のコイル取付部３１に取り付けられた場合には、一方の端縁部がバネ受部２９に当接されると共に、他方の端縁部が開き角規制部３０に内側から当接され、最大開き角度θ１よりも小さい開き角度θ２（本実施例では、θ２は約８０度である。）で該右側ベース部材２４に取り付けられる。
【００３９】
更に、図１６（Ｃ）に示すように、ケースカバー４の各係止軸６２を各リンク部材２５の各貫通孔３７に嵌め込んで本体ケース２に取り付けた場合には、右側ねじりコイルバネ１６Ａの開き角規制部３０に当接する他方の端縁部が、ケースカバー４の補強板５６に当接する。また、この時、ケースカバー４の後端縁部が本体ケース２のフレーム部材２Ａの後端縁部に当接して、係止軸６２を中心とするケースカバー４の回動が制限される。このため、右側ねじりコイルバネ１６Ａの他方の端縁部は、内側方向に押圧されて、右側ベース部材２４に取り付けられた際の開き角度θ２よりも小さい開き角度θ３（本実施例では、θ３は約７０度である。）でケースカバー４の補強板５６に当接する。これにより、ケースカバー４を開放した場合に、ケースカバー４は、後側下端縁部を本体ケース２の後面部に当接させた最大開放状態で維持される。
【００４０】
また、ここで、ケースカバー４が最大開放状態の場合に、各ねじりコイルバネ１６Ａ、１６Ｂが該ケースカバー４の各係止軸６２に作用する力方向について図１６（Ｃ）及び図１７に基づいて説明する。
尚、各ベース部材２４、４１に取り付けられた各ねじりコイルバネ１６Ａ、１６Ｂが各係止軸６２に作用する力方向は、ほぼ同じであるため、右側リンクユニット９のリンク部材２５に取り付けられる係止軸６２について説明する。
【００４１】
図１６（Ｃ）に示すように、右側ねじりコイルバネ１６Ａの他方の端縁部は、ケースカバー４が取り付けられた場合には、９０度よりも小さい開き角度θ３（本実施例では、θ３は約７０度である。）でケースカバー４の補強板５６に当接する。
このため、図１７に示すように、リンク部材２５の各貫通孔３７に取り付けられた係止軸６２には、右側ねじりコイルバネ１６Ａによって鉛直方向よりも後側方向に所定角度θ３（本実施例では、θ３は約７０度である。）傾いた方向に押圧力Ｆが働く。従って、係止軸６２を各貫通孔３７から外す様に働く鉛直上方への分力は小さくなるため、右側ねじりコイルバネ１６Ａの押圧力Ｆが大きくなっても、係止軸６２は各貫通孔３７から外れない。
【００４２】
尚、ケースカバー４を開放した状態で、このケースカバー４を更に外側方向に回動させる大きな外力が働いた場合には、係止軸６２に押圧力Ｆと同方向に大きな外力が働くが、係止軸６２を各貫通孔３７から外す様に働く鉛直上方への分力も大きくなるため、係止軸６２は各貫通孔３７から外れ、ケースカバー４は破壊されることなく、本体ケース２から外れる。
【００４３】
次に、ケースカバー４の開閉について図１８乃至図２０に基づいて説明する。
図１８→図１９に示すように、ケースカバー４を各係止軸６２を中心に、各ねじりコイルバネ１６Ａ、１６Ｂの抗力に抗して本体ケース２側に回動して、この本体ケース２に当接させる。これにより、このケースカバー４の補強板５６の内側面から下側方向に延出される係止片１３の下端部は、右側リンクユニット９の右側ベース部材２４に形成される係合部３２に対向する。
また、同様に、ケースカバー４の補強板５６の内側面から延出される係止片１４の下端部は、左側リンクユニット１０の左側ベース部材４１に形成される係合部４８に対向する。
【００４４】
また、右側ねじりコイルバネ１６Ａのケースカバー４の補強板５６に当接する円弧状の端縁部が、右側ベース部材２４のコイル取付部３１に挿入されたコイル中心軸回りに前側方向に回動されて、収納部５の後側側壁部５Ａに切り欠かれて形成される切欠溝５Ｂに入り、このケースカバー４の内側面に対してほぼ平行な状態になる。
また、同様に、左側ねじりコイルバネ１６Ｂのケースカバー４の補強板５６に当接する円弧状の端縁部が、左側ベース部材４１のコイル取付部４７に挿入されたコイル中心軸回りに前側方向に回動されて、収納部５の後側側壁部５Ａに切り欠かれて形成される切欠溝５Ｂに入り、このケースカバー４の内側面に対してほぼ平行な状態になる。
尚、図１９（Ｃ）、（Ｄ）に示すように、各係止軸６２は、各ねじりコイルバネ１６Ａ、１６Ｂのコイル中心軸よりも後側に位置するため、各係止軸６２と各ねじりコイルバネ１６Ａ、１６Ｂがケースカバー４の内側面に当接する位置との距離が大きくなり、各ねじりコイルバネ１６Ａ、１６Ｂによるケースカバー４を各係止軸６２を中心に外側方向に回動させる回転モーメントが大きくなる。
【００４５】
また、ケースカバー４の補強板５６の後端縁部右側から下側方向に延出される係止片１２の下端部は、収納部５の右側側壁部５Ｆの後端部近くに形成される係合凸部５Ｇに対向する。
また、同様に、ケースカバー４の補強板５６の後端縁部左側から下側方向に延出される係止片１５の下端部は、収納部５の左側側壁部５Ｄの後端部近くに形成される係合凸部５Ｅに対向する。
【００４６】
そして、図１９→図２０に示すように、ケースカバー４を用紙７の搬送方向、即ち前側方向にスライドさせることによって、このケースカバー４の補強板５６の内側面から下側方向に延出される係止片１３の下端部は、右側リンクユニット９の右側ベース部材２４に形成される係合部３２に係合される。
また、同様に、ケースカバー４のの補強板５６の内側面から下側方向に延出される係止片１４の下端部は、左側リンクユニット１０の左側ベース部材４１に形成される係合部４８に係合される。
【００４７】
また、右側ねじりコイルバネ１６Ａの円弧状の端縁部が、補強板５６上を摺動する。また、同様に、左側ねじりコイルバネ１６Ｂの円弧状の端縁部が、補強板５６上を摺動する。
そして、ケースカバー４の補強板５６の後端縁部右側から下側方向に延出される係止片１２の下端部は、収納部５の右側側壁部５Ｆの後端部近くに形成される係合凸部５Ｇに係合すると共に、係止軸６２の前側方向への移動によって右側リンクユニット９のリンク部材２５が軸３６を中心に前側方向に回動される。
【００４８】
また、同様に、ケースカバー４の補強板５６の後端縁部左側から下側方向に延出される係止片１５の下端部は、収納部５の左側側壁部５Ｄの後端部近くに形成される係合凸部５Ｅに係合すると共に、係止軸６２の前側方向への移動によって左側リンクユニット１０のリンク部材２５が軸３６を中心に前側方向に回動される。
従って、ケースカバー４を本体ケース２に当接させて、前側方向にスライドさせることによって、各係止片１３、１４が各係合部３２、４８に係合されると共に、各係止片１２、１５が各係合凸部５Ｇ、５Ｅに係合されて、このケースカバー４が固定状態になる。
尚、図２０（Ｃ）、（Ｄ）に示すように、ケースカバー４を前側方向にスライド移動させることによって、各リンク部材２５が前側方向に回動して、各係止軸６２は、各ねじりコイルバネ１６Ａ、１６Ｂのコイル中心軸よりも前側に位置するため、各係止軸６２と各ねじりコイルバネ１６Ａ、１６Ｂがケースカバー４の内側面に当接する位置との距離が短くなり、各ねじりコイルバネ１６Ａ、１６Ｂによるケースカバー４を各係止軸６２を中心に外側方向に回動させる回転モーメントが小さくなる。
【００４９】
一方、図２０→図１９に示すように、固定状態のケースカバー４を用紙搬送方向下流側、即ち後側方向にスライドさせることによって、各係止片１３、１４と各係合部３２、４８の係合が解除されると共に、各係止片１２、１５と各係合凸部５Ｇ、５Ｅの係合が解除される。これにより、図１９→図１８に示すように、各ねじりコイルバネ１６Ａ、１６Ｂによって、ケースカバー４は全開状態になり、収納部５に用紙７を容易に装着することができる。
また、ケースカバー４を後側方向にスライド移動させることによって、各リンク部材２５が後側方向に回動して、各係止軸６２は、各ねじりコイルバネ１６Ａ、１６Ｂのコイル中心軸よりも後側に位置することとなる。これにより、各係止軸６２と各ねじりコイルバネ１６Ａ、１６Ｂがケースカバー４の内側面に当接する位置との距離が大きくなり、各ねじりコイルバネ１６Ａ、１６Ｂによるケースカバー４を各係止軸６２を中心に外側方向に回動させる回転モーメントが大きくなる。
【００５０】
ここで、用紙７は、被記録媒体として機能する。また、ケースカバー４は、蓋部材として機能する。また、右側ねじりコイルバネ１６Ａと左側ねじりコイルバネ１６Ｂは、付勢手段を構成する。各係止片１３、１４は、第１係止片として機能する。また、各係止片１１、１５は、第２係止片として機能する。また、右側ベース部材２４と左側ベース部材４１は、金属製ベース部材として機能する。また、各開き角規制部３０、４６は、回転止め部として機能する。
【００５１】
従って、本実施例に係る印刷装置１では、ケースカバー４は、樹脂製表面部材５５の内側面に固着された金属製補強板５６の後端側両角部に設けられた各係止軸６２が、本体ケース２の後端両角部に配置された各リンク部材２５の上端部に切り欠かれた軸挿入部３８を介して該リンク部材２５の各貫通孔３７に着脱可能に装着されるため、印刷装置１の厚さ寸法をそのまま維持して、用紙７のサイズを大きくして（例えば、Ａ７サイズの感熱用紙からＡ６サイズの感熱用紙に変更する。）ケースカバー４を大きくしても、各係止軸６２と各リンク部材２５との係合によって回動支点部が形成されるため、十分な強度をもたせることが可能となる。また、ケースカバー４の各係止軸６２は、本体ケース２の各リンク部材２５の各貫通孔３７に軸挿入部３８を介して着脱可能に取り付けられるため、開放されたケースカバー４に大きな回動力（外力）が働いた場合には、各リンク部材２５の各貫通孔３７から各係止軸６２が外れて、ケースカバー４の回動支点部の破壊を回避することが可能となる。
【００５２】
また、各リンク部材２５に隣接して配置される各ねじりコイルバネ１６Ａ、１６Ｂによって外側方向に回動されたケースカバー４を、各係止軸６２を中心に各ねじりコイルバネ１６Ａ、１６Ｂによる抗力に抗して本体ケース２側に回動して該本体ケース２に当接後、用紙７の搬送方向下流側、即ち前側方向へスライド移動させることによって、ケースカバー４の内側に固着される金属製補強板５６の後端縁部に設けられた各係止片１３、１４の下端部が、各ねじりコイルバネ１６Ａ、１６Ｂに隣接して配置されると共に、各リンク部材２５の回動中心よりも前側方向に位置するように設けられた各係合部３２、４８に係合されてケースカバー４が固定状態にされる。また、ケースカバー４の内側に固着される金属製補強板５６の後端両側に設けられた各係止片１２、１５が、収納部５の両側壁部５Ｄ、５Ｆから突設される各係合凸部５Ｇ、５Ｅに係合されて、ケースカバー４が固定状態にされる。
【００５３】
これにより、ケースカバー４を閉じた場合には、各リンク部材２５、各係止軸６２、各ねじりコイルバネ１６Ａ、１６Ｂ、各係合部３２、４８及び各係止片１２〜１５は、外観面に露出せず、デザイン的自由度を確保することが可能となる。
また、ケースカバー４を後側方向へスライド移動させることによって開放可能状態になり、用紙７を装着可能になるため、用紙７のサイズを大きくして（例えば、Ａ７サイズの感熱用紙からＡ６サイズの感熱用紙に変更する。）ケースカバー４を大きくしても、印刷装置１の厚さ寸法の薄型化を図ることが可能となる。
また、ケースカバーを前側方向へスライド移動させることによって、ケースカバー４の内側面に設けられた各係止片１２、１５が各係合凸部５Ｇ、５Ｅに係合されるため、ケースカバー４の両側面部の浮き上がりを確実に防止することができる。
また、ケースカバー４を用紙７の搬送方向上流側、即ち後側方向へスライド移動させることによって開放可能状態になり、用紙７を装着可能になるため、各係止片１２、１５を金属製補強板５６の後端両側に設けても、印刷装置１の厚さ寸法の薄型化を図ることが可能となる。
【００５４】
また、金属製補強板５６に各係止片１３、１４が形成され、金属製の各ベース部材２４、４１に各係合部３２、４８が形成され、各係止片１３、１４が各係合部３２、４８に係合されて、ケースカバー４が固定状態になる。これにより、ケースカバー４の大型化に伴って重量が増加して、各ねじりコイルバネ１６Ａ、１６Ｂのバネ強さが大きくなっても、各係止片１３、１４及び各係合部３２、４８は、金属製であるため、本体ケース２及びケースカバー４の変形を確実に防止することが可能となる。
また、各係止片１２、１５は、ケースカバー４の樹脂製表面部材５５の内側面に固着される金属製補強板５６に形成されているため、各係止片１３、１４と同時にプレス成形することが可能となり、部品点数の削減化を図ることが可能となる。
【００５５】
各ねじりコイルバネ１６Ａ、１６Ｂの円弧状の端縁部は、金属製の各ベース部材２４、４１の各開き角規制部３０、４６に当接した状態で取り付けられているため、各ねじりコイルバネ１６Ａ、１６Ｂの反力による本体ケース２及びケースカバー４の変形を確実に防止することが可能となる。また、各ねじりコイルバネ１６Ａ、１６Ｂは、各開き角規制部３０、４６に当接して開き角度を規制された状態で各ベース部材２４、４１に取り付けられているため、ケースカバー４の各係止軸６２を各リンク部材２５の各貫通孔３７に装着する際に、各ねじりコイルバネ１６Ａ、１６Ｂの待機位置を規制することができ、該ケースカバー４の取り付け及び脱着作業をスムーズに行うことが可能となる。
また、ケースカバー４が開放された場合には、該ケースカバー４の後側下端縁部が、本体ケース２の後面部に当接すると共に、該各ねじりコイルバネ１６Ａ、１６Ｂは、各開き角規制部３０、４６に当接した状態よりも小さい開き角度θ３で該ケースカバー４の内側面に当接する。これにより、ケースカバー４を開放した場合に、該ケースカバー４の後側下端縁部を本体ケース２の後面部に当接させた最大開放状態を確実に維持することができ、用紙７を容易に装着することができる。
【００５６】
更に、ケースカバー４を本体ケース２に当接後、前側方向へスライド移動させた場合には、各リンク部材２５は前側方向へ回動されて、各係止軸６２は各ねじりコイルバネ１６Ａ、１６Ｂのコイル中心軸よりも用紙７の搬送方向前側に位置する。また、このケースカバー４を固定状態から後側方向へスライド移動させた場合には、各リンク部材２５は後側方向へ回動されて、各係止軸６２は各ねじりコイルバネ１６Ａ、１６Ｂのコイル中心軸よりも後側に位置する。
【００５７】
これにより、ケースカバー４を閉じて固定状態にした場合には、各係止軸６２は各ねじりコイルバネ１６Ａ、１６Ｂのコイル中心軸よりも前側に位置するため、各係止軸６２が各ねじりコイルバネ１６Ａ、１６Ｂの作用点に近づき、ケースカバー４の各係止軸６２を中心に働く回転モーメントが小さくなり、ケースカバー４の浮き上がりを防止することが可能となる。また、ケースカバー４を固定状態から後側方向へスライド移動させた場合には、各係止軸６２は各ねじりコイルバネ１６Ａ、１６Ｂのコイル中心軸よりも後側に位置するため、各係止軸６２が該各ねじりコイルバネ１６Ａ、１６Ｂの作用点から離れて、ケースカバー４の各係止軸６２を中心に働く回転モーメントが大きくなり、ケースカバー４の開放力を大きくすることが可能となる。
【００５８】
尚、本発明は前記実施例に限定されることはなく、本発明の要旨を逸脱しない範囲内で種々の改良、変形が可能であることは勿論である。
【図面の簡単な説明】
【００５９】
【図１】本実施例に係る印刷装置の外観斜視図である。
【図２】印刷装置のケースカバーの開閉動作を示した図である。
【図３】印刷装置のケースカバーを開けて示す右側上方からの斜視図である。
【図４】左側リンクユニットの構造を説明する分解斜視図である。
【図５】右側リンクユニットの構造を説明する分解斜視図である。
【図６】本体ケースの左側後端角部に設けられた左側リンクユニットを示す部分平面図である。
【図７】本体ケースの左側後端角部に設けられた左側リンクユニットを示す部分正面図である。
【図８】図６のＡ−Ａ矢視部分断面図である。
【図９】図６のＢ−Ｂ矢視部分断面図である。
【図１０】図６のＣ−Ｃ矢視部分断面図である。
【図１１】ケースカバーの外側斜視図である。
【図１２】ケースカバーの内側斜視図である。
【図１３】ケースカバーの本体ケースへの取り付けを示す斜視図である。
【図１４】ケースカバーの本体ケースへの取り付けを示す後端右側角部の要部断面図である。
【図１５】ケースカバーを左側リンクユニットと右側リンクユニットに取り付けた状態を示す要部斜視図である。
【図１６】右側ねじりコイルバネの開き角度を説明する図で、（Ａ）は全開放時、（Ｂ）は右側ベース部材に取り付け時、（Ｃ）はケースカバーを取り付けた時の状態を示す図である。
【図１７】ねじりコイルバネがリンク部材に装着された係止軸に対して作用する力方向を説明する図である。
【図１８】ケースカバーが全開状態の後端右側角部を示す要部拡大図で、（Ａ）は側面図、（Ｂ）は係止片１３を含む側断面図、（Ｃ）は右側ねじりコイルバネの他方の端縁部を含む側断面図、（Ｄ）は係止片１２を含む側断面図である。
【図１９】ケースカバーが本体ケースに当接してスライド移動可能状態の後端右側角部を示す要部拡大図で、（Ａ）は側面図、（Ｂ）は係止片１３を含む側断面図、（Ｃ）は右側ねじりコイルバネの他方の端縁部を含む側断面図、（Ｄ）は係止片１２を含む側断面図である。
【図２０】ケースカバーが閉じた状態の後端右側角部を示す要部拡大図で、（Ａ）は側面図、（Ｂ）は係止片１３を含む側断面図、（Ｃ）は右側ねじりコイルバネの他方の端縁部を含む側断面図、（Ｄ）は係止片１２を含む側断面図である。
【符号の説明】
【００６０】
１                印刷装置
２                本体ケース
４                ケースカバー
５                収納部
５Ｅ、５Ｇ        係合凸部
７                用紙
９                左側リンクユニット
１０                右側リンクユニット
１２、１３、１４、１５      係止片
１６Ａ、１６Ｂ      ねじりコイルバネ
２２                凹部
２４                左側ベース部材
２５                リンク部材
３０、４６          開き角規制部
３１、４７          コイル取付部
３２、４８          係合部
３６                軸
３７                貫通孔
３８                軸挿入部
４１                左側ベース部材
５５                表面部材
５６                補強板
６０、６１          延出部
６１                係止軸
【図１】
2008110481.tif 000003
【図２】
2008110481.tif 000004
【図３】
2008110481.tif 000005
【図４】
2008110481.tif 000006
【図５】
2008110481.tif 000007
【図６】
2008110481.tif 000008
【図７】
2008110481.tif 000009
【図８】
2008110481.tif 000010
【図９】
2008110481.tif 000011
【図１０】
2008110481.tif 000012
【図１１】
2008110481.tif 000013
【図１２】
2008110481.tif 000014
【図１３】
2008110481.tif 000015
【図１４】
2008110481.tif 000016
【図１５】
2008110481.tif 000017
【図１６】
2008110481.tif 000018
【図１７】
2008110481.tif 000019
【図１８】
2008110481.tif 000020
【図１９】
2008110481.tif 000021
【図２０】
2008110481.tif 000022